(57)【要約】【課題】記録媒体やジョブが設定される前でも、装置を使用するユーザに定着器が混在していることを報知し、定着器の交換を促す画像形成装置を提供する。【解決手段】画像形成装置１は、ユーザインタフェース装置１１を含んで構成される。画像形成装置１は、記録媒体に転写された画像を定着させる第一定着器１３、第二定着器１４を有する。画像形成装置１のプリンタ制御部（９００）は、第一定着器１３、第二定着器１４がそれぞれ個別に保有する、定着器が使用可能な記録媒体の情報を表す用途情報を取得する。プリンタ制御部（９００）は、また、取得した第一定着器１３の用途情報と、第二定着器１４の用途情報とが異なるか否かを判別する。プリンタ制御部（９００）は、また、異なる用途情報であると判別した場合、ユーザインタフェース装置１１を介して不適切な定着手段の組み合わせであることを報知する。【選択図】図１
2015230436.tif 000002
【特許請求の範囲】
【請求項１】
記録媒体に転写された画像を定着させる定着手段が複数配備された画像形成装置であって、
前記定着手段がそれぞれ個別に保有する、当該定着手段が使用可能な記録媒体の情報を表す用途情報を取得する取得手段と、
前記取得手段が取得した一の定着手段が保有する用途情報と、他の一の定着手段が保有する用途情報とが異なるか否かを判別する判別手段と、
前記判別手段が異なると判別した場合に、不適切な定着手段の組み合わせであることを報知する報知手段と、を有することを特徴とする、
画像形成装置。
【請求項２】
前記定着手段は、複数の定着手段のうち少なくとも一つが前記報知に応じた着脱が可能に配備されていることを特徴とする、
請求項１に記載の画像形成装置。
【請求項３】
前記報知手段は、前記判別手段が異なると判別した場合に、画像形成を継続するか否かを選択するための情報を報知することを特徴とする、
請求項１又は２に記載の画像形成装置。
【請求項４】
前記報知手段は、前記画像形成の継続が選択された場合には、当該画像形成に使用する記録媒体を指定するための情報をさらに報知することを特徴とする、
請求項３に記載の画像形成装置。
【請求項５】
前記判別手段は、前記指定された記録媒体が、前記定着手段それぞれが個別に保有する用途情報と適合するか否かを判別し、
前記報知手段は、前記判別手段が適合しないと判別した場合に、不適切な記録媒体の指定であることを報知することを特徴とする、
請求項４に記載の画像形成装置。
【請求項６】
前記一の定着手段は、前記他の一の定着手段よりも先に前記記録媒体に転写された画像を定着させるように配備されており、
前記判別手段は、前記指定された記録媒体が前記他の一の定着手段により定着が行われるか否かを判別し、当該定着が行われないと判別した場合には、当該指定された記録媒体が、前記一の定着手段が保有する用途情報と適合するか否かをさらに判別することを特徴とする、
請求項５に記載の画像形成装置。
【発明の詳細な説明】
【技術分野】
【０００１】
本発明は、複数の定着器を搭載し、且つ定着器を入れ替えて使用可能な画像形成装置に関する。
【背景技術】
【０００２】
定着器のローラ面に生じる痕や加圧部のニップ圧の違いなどによる印刷物の品質低下を防ぐため、ある記録媒体（例えば、用紙）のサイズやマテリアルに専用の定着器を用意し、使用する記録媒体に合わせて定着器を使い分けていることがある。そのため、プリントする際には、その記録媒体に対応した定着器を使用することがある。しかし用途は違っていても、各定着器の外観が同じか、または似ている場合、所望の定着器とは異なる定着器を設置してしまうことがある。そのような場合、印刷装置を使用するユーザが定着器の設置ミスに気付かずプリントを行うと、印刷物の品質が低下したり、記録媒体によっては定着器自体を破損したりしてしまう恐れがある。
【０００３】
このような問題を解決するために、画像形成装置に装着される定着器の識別情報を検出し、ユーザから投入されるジョブに対してその定着器が適切かどうかを判断するように構成されたものがある。例えば、適切でない場合はユーザにその旨を報知するように構成されたものがある（特許文献１参照）。また、装着された定着器が設定された記録媒体に適合するかどうかを判断し、適切でない場合は定着器の交換を促すメッセージを表示する画像形成装置がある（特許文献２参照）。
【先行技術文献】
【特許文献】
【０００４】
【特許文献１】特開２０１１−５６９４５号公報
【特許文献２】特開２００８−５８３６５号公報
【発明の概要】
【発明が解決しようとする課題】
【０００５】
一つの画像形成装置に定着器が複数存在する構成では、ある記録媒体に対応した定着器をそろえて使用するのが普通である。しかし用途が違っても定着器の外観が同じか、または似ている場合には、誤って用途の違う定着器を混在して設置してしまうことがある。この場合、従来の技術では、ユーザが記録媒体の設定やジョブの投入をしない限り定着器が不適切であることが報知されない。そのため、ユーザが定着器の設置ミスに気付くまでに時間がかかってしまう、という課題が残る。
【０００６】
本発明は、上記課題点を鑑み、記録媒体やジョブが設定される前でも、装置を使用するユーザに定着器が混在していることを報知し、定着器の交換を促す画像形成装置を提供することを、主たる課題とする。
【課題を解決するための手段】
【０００７】
本発明の画像形成装置は、記録媒体に転写された画像を定着させる定着手段が複数配備された画像形成装置であって、前記定着手段がそれぞれ個別に保有する、当該定着手段が使用可能な記録媒体の情報を表す用途情報を取得する取得手段と、前記取得手段が取得した一の定着手段が保有する用途情報と、他の一の定着手段が保有する用途情報とが異なるか否かを判別する判別手段と、前記判別手段が異なると判別した場合に、不適切な定着手段の組み合わせであることを報知する報知手段と、を有することを特徴とする。
【発明の効果】
【０００８】
本発明によれば、各定着器それぞれに予め保存された、その定着器で使用可能な記録媒体の情報（以下、「用途情報」と称す）を取得し、これらを比較する。これにより、画像形成装置において異なる用途の定着器が混在しているか否かを判別することができる。また、混在している場合、その旨を報知する。これにより、記録媒体、ジョブなどが設定される前であっても、装置を使用するユーザに対して定着器の交換を促すことができる。
【図面の簡単な説明】
【０００９】
【図１】第１実施形態に係る画像形成装置の構成の一例を示す概要図。
【図２】画像形成装置の制御系統を説明するためのブロック図。
【図３】定着器の組み合わせが不適切であることを報知する処理手順の一例を示すフローチャート。
【図４】図３に示すステップＳ３０６の警告報知処理のフローチャート。
【図５】定着器の組み合わせが不適切である場合に、当該定着器の交換を促すための画面表示の一例を示す図。
【図６】第２実施形態に係る画像形成装置において、定着器の組み合わせが不適切であることを報知した後、ユーザが継続して当該装置を使用するか否かを選択する警告報知処理の一例を示すフローチャート。
【図７】継続して装置を使用するか否かを選択可能に構成された画面表示の一例を示す図。
【図８】定着器の組み合わせが不適切な場合において、継続して装置を使用することをユーザが選択した場合のプリント制御の処理手順を示すフローチャート。
【図９】ジョブに関する設定の一例として、ユーザが記録媒体の指定を行うときの画面表示を示す図。
【発明を実施するための形態】
【００１０】
以下、本発明を適用した画像形成装置の実施形態として、図面を参照しながら説明する。
【００１１】
［第１実施形態］
図１は、本実施形態に係る画像形成装置の構成の一例を示す概要図である。画像形成装置１は、ユーザインタフェース装置（操作表示装置）１１を含んで構成される。
【００１２】
画像形成装置１は、給紙部１２、第一定着器１３、第二定着器１４、プレレジセンサ１０２、レジストローラ１０３、レジストセンサ１０４、第二定着搬送ローラ１０６、バイパスセンサ１０７、バイパスローラ１０８、排紙センサ１０９含んで構成される。
また、画像形成装置１は、排紙ローラ１１０、紙庫１２０、ピックアップローラ１２１、分離ローラ１２２、給紙センサ１２３、縦パスローラ１２４、縦パスセンサ１２５、フラッパ１４１、ドラム８０１〜８０４、中間転写体８０５、二次転写部８０６を有する。なお、各パスセンサ（１０２、１０４、１０５、１０７、１０９、１２３、１２５）は、搬送経路上におけるシートの通過を検知するためのセンサである。また、画像形成装置１には、第一定着器１３、第二定着器１４などの定着器を複数配備して構成される。
【００１３】
画像形成装置１では、シート状に形成した記録媒体（以下「シート」という。）を複数枚収容した給紙部１２から、一枚ずつシートが給送される。給紙部１２を構成する紙庫１２０には、シートが載置される。紙庫１２０は、不図示のリフタモータおよび紙面センサにより、最も上にあるシートがピックアップローラ１２１に接するよう最上面のシート位置が制御される。
【００１４】
ピックアップローラ１２１は、紙庫１２０の最も上にあるシートを分離ローラ１２２に送り込む。分離ローラ１２２は、上ローラが送り方向に回転し、下ローラが戻し方向に回転し、シートを一枚ずつ分離して給送する。なお、給紙センサ１２３を用いて、所定のタイミングで最も上にあるシートをピックアップできたかを確認し、ピックアップ開始後、所定時間経過しても給紙センサ１２３が検知しない場合には給紙ジャムと判断される。
【００１５】
分離ローラ１２２を経たシートは、給紙縦パスへと搬送される。縦パスローラ１２４により搬送されて縦パスセンサ１２５を通過したシートは、水平パスに案内される。その後、ドラム８０１〜８０４、中間転写体８０５および二次転写部８０６を有する画像形成部８０において、シートに画像が転写される。
【００１６】
画像形成装置１では、プレレジセンサ１０２、レジストローラ１０３、レジストセンサ１０４を用いて、画像形成部８０の画像と水平パスのシートの先端位置合わせを行う。画像とシート先端との位置合わせでは、画像形成に同期した信号に基づいてレジストローラを駆動する構成が広く知られている。
【００１７】
その後、画像が転写されたシートは、加圧かつ加熱された第一定着器１３を通過する。これにより、シートに転写された画像をシートに定着させる。その後、シートは、第二定着搬送ローラ１０６を介して第二定着器１４を通過するかバイパスを通過するかの分岐点に到達する。なお、第一定着器１３及び第二定着器１４は、それぞれ個別に装置から着脱可能に配備されている。
【００１８】
ここで、厚紙など第二定着器１４での定着も必要とする記録媒体の場合は、シートが第二定着器１４も通るようにフラッパ１４１を制御する。シートが第二定着器１４を通らない記録媒体の場合は、バイパスを通るようにフラッパ１４１を制御してバイパスにシートを案内する。その後シートはバイパスローラ１０８により排紙ローラ１１０へ向かって搬送され、バイパスセンサ１０７を用いてバイパスを通過したかどうかが検知される。排紙ローラ１１０はシートを画像形成装置１の機外へ排紙するためのローラである。
なお、排紙が所定のタイミングで完了したか否かは、排紙センサ１０９で確認され、所定時間経過しても排紙センサ１０９が検知しない場合はジャム発生と判断される。このようにして、シートに画像が形成される。
【００１９】
ユーザインタフェース装置１１は、画像形成に関する各種機能を設定する複数のキー、設定状態を示す情報を表示するための表示部などを有する。なお、ユーザインタフェース装置１１の機能構成の詳細については、後述する。
【００２０】
図２は、画像形成装置１の制御系統を説明するためのブロック図である。画像形成装置１の各種制御は、主としてプリンタ制御部９００を介して実行される。
プリンタ制御部９００は、ＣＰＵ（Central Processing Unit ）９０１、ＲＯＭ（Read Only Memory）９０２、ＲＡＭ（Random Access Memory）９０３を含んで構成される。
ＣＰＵ９０１は、ＲＯＭ９０２に格納された制御プログラムを読み出して実行し、これにより画像信号制御部９２２、操作表示装置制御部９４１および画像形成装置１を総括的に制御する。ＲＡＭ９０３は、制御データを一時的に保持したり、制御に伴う演算処理の作業領域として用いられる。
【００２１】
画像信号制御部９２２は、外部のコンピュータ９０５から外部Ｉ／Ｆ９０４を介して入力されたデジタル画像信号に各種処理を施し、このデジタル画像信号をビデオ信号に変換して画像形成部８０に出力する。
【００２２】
操作表示装置制御部９４１は、プリンタ制御部９００との間で情報の授受を行うとともに、ユーザインタフェース装置１１を制御する。なお、ユーザインタフェース装置１１は、各キーの操作に対応するキー信号をプリンタ制御部９００に出力するとともに、プリンタ制御部９００からの信号に基づき対応する情報を表示部に表示する。
【００２３】
次に、画像形成装置１の主なシート搬送駆動系を説明する。画像形成装置１は、給紙部１２から給紙縦パスまでシートを搬送する手段として、ピックアップローラ１２１を駆動する給紙モータ９３１３、分離ローラ１２２、縦パスローラ１２４を駆動する縦パスモータ９３１４を有する。また、水平パスから転写部までシートを搬送する手段として、レジストローラ１０３を駆動するレジモータ９３１５を有する。
【００２４】
ドラムモータ９３１７は、画像形成部８０内のドラム８０１〜８０４、中間転写体８０５および二次転写部８０６を駆動する。第一定着モータ９３１８は、第一定着器１３を駆動する。第二定着モータ９３１９は、第二定着器１４を駆動する。第二定着搬送モータ９３２０は、第二定着搬送ローラ１０６を駆動する。リフタモータ９３２１は、各給紙段の紙庫の上下降を行う。フラッパモータ９３２２は、フラッパ１４１を駆動する。バイパスモータ９３２３は、バイパスローラ１０８を駆動する。排紙モータ９３２４は、排紙ローラ１１０を駆動する。これら各構成は、転写部から排紙部までシートを搬送する手段として機能する。
【００２５】
また、画像形成装置１で使用可能な各定着器には、それぞれ個別にメモリタグが設置されている。つまり、各定着器それぞれが個別に用途情報を保有する。メモリタグ検出部１５は、設置されたメモリタグからその定着器に適した記録媒体の情報（用途情報）を読み出して取得する。取得した情報は、プリンタ制御部９００において使用される。
なお、メモリタグには予めその定着器で使用すべき記録媒体の情報（用途情報）が保存されている。用途情報としては、例えばサイズ、マテリアル、形状などがある。サイズは、Ａ４、Ａ３、ＬＴＲなどのシートサイズ、マテリアルは、厚紙、薄紙、コート紙、ＯＨＰなどの種別、形状は、封筒、タブ紙、パンチ紙などを表す情報である。これらのメモリタグの情報は、メモリタグ検出部１５を用いて取得され、第一定着器１３、第二定着器１４のそれぞれの用途情報が比較される。通常、第一定着器１３、第二定着器１４共に同じ記録媒体が指定されている。しかしながら、仮に複数の定着器のなかで用途情報がいずれか一つでも違っている場合がある。この場合には、装置を利用するユーザに対して定着器が不適切である旨が報知される。
【００２６】
図３は、画像形成装置１において、定着器の組み合わせが不適切であることを報知する処理手順の一例を示すフローチャートである。なお、図３に示す各処理は、主としてＣＰＵ９０１が所定の制御プログラムを実行することにより行われる。
【００２７】
ＣＰＵ９０１は、装置の立ち上げを契機に、定着器の用途組み合わせ警告を示す警告フラグｆｕｓ＿ｗａｒｎｉｎｇを初期化する（Ｓ３０１）。ＣＰＵ９０１は、第一定着器１３の用途情報を取得する（Ｓ３０３）。取得した用途情報は、記録媒体のサイズをｆｕｓ１＿ｓｉｚｅ、マテリアルをｆｕｓ１＿ｍａｔｅｒｉａｌ、形状をｆｕｓ１＿ｓｈａｐｅにそれぞれ保存される（Ｓ３０２）。次に、ＣＰＵ９０１は、第二定着器１４の用途情報を取得し、同様にｆｕｓ２＿ｓｉｚｅ、ｆｕｓ２＿ｍａｔｅｒｉａｌ、ｆｕｓ２＿ｓｈａｐｅに保存する。
【００２８】
ＣＰＵ９０１は、取得した第一定着器１３、第二定着器１４それぞれの用途情報が同じであるか否かを判別する（Ｓ３０４）。ＣＰＵ９０１は、第一定着器１３、第二定着器１４それぞれのサイズ、マテリアル、形状のいずれか一つでも異なる場合（Ｓ０３４：Ｙｅｓ）、警告フラグｆｕｓ＿ｗａｒｎｉｎｇを有効にする（Ｓ３０５）。その後、警告報知処理へ進む（Ｓ３０６）。また、そうでない場合（Ｓ３０４：Ｎｏ）、つまり用途情報が全て一致する場合は、ステップＳ３０６の処理へ進む。以下、警告報知処理の詳細について説明する。
【００２９】
図４は、図３に示すステップＳ３０６の警告報知処理のフローチャートである。また、図５は、定着器の組み合わせが不適切である場合に、当該定着器の交換を促すための画面表示の一例を示す図である。なお、この画面上には、画像形成装置１のシャットダウンを指示するためのボタンが表示される。これは、定着器を交換する際には、安全性の面から装置をシャットダウンする必要があるためである。
【００３０】
ＣＰＵ９０１は、警告フラグｆｕｓ＿ｗａｒｎｉｎｇが有効であるか否かを判別する（Ｓ４０１）。有効であると判別した場合（Ｓ４０１：Ｙｅｓ）、ＣＰＵ９０１は、操作表示装置制御部９４１、ユーザインタフェース装置１１を介して警告表示を行う（Ｓ４０２）。この警告表示では、図５に示すような定着器の組み合わせが不適切であり、交換を促すメッセージを表示する。このようにして、装置を利用するユーザに対して定着器が不適切である旨が報知される。
ＣＰＵ９０１は、装置のシャットダウンが指示されたか否かを判別する（Ｓ４０３）。シャットダウンが行われない場合（Ｓ４０３：Ｎｏ）、ステップＳ４０２の処理へ戻り警告表示を継続する。また、シャットダウンが行われた場合（Ｓ４０３：Ｙｅｓ）、警告表示を終了する。
なお、定着用途組み合わせ警告フラグｆｕｓ＿ｗａｒｎｉｎｇが無効の場合（Ｓ４０１：Ｎｏ）、ステップＳ４０２の処理に進むことなく、通常の画像形成が可能な状態（プリント制御状態）へ遷移する。
【００３１】
このように、本実施形態に係る画像形成装置では、第一定着器１３、第二定着器１４それぞれに予め保存された用途情報を取得し、これらを比較する。これにより、画像形成装置において異なる用途の定着器が混在しているか否かを判別することができる。また、混在している場合、その旨が報知される。これにより、記録媒体、ジョブなどが設定される前であっても、装置を利用するユーザに対して定着器の交換を促すことができる。
【００３２】
［第２実施形態］
第１実施形態では、第一定着器１３と第二定着器１４の用途情報が違っていた場合、すぐに装置を利用するユーザに対して定着器が不適切である旨を警告する画像形成装置１について説明した。しかしながら、画像形成装置１を利用するユーザによっては、たとえ定着器の組み合わせが違っていてもジョブを実行したい場合がある。そこで、本実施形態では、装置を利用するユーザが定着器の組み合わせの違いを認識した上で、ジョブに関する設定を行うことを許可することができる画像形成装置について説明する。なお、第１実施形態において既に説明した機能構成と同一のものは、同じ符号を付すとともにその説明を省略する。
【００３３】
図６は、本実施形態に係る画像形成装置において、定着器の組み合わせが不適切であることを報知した後、ユーザが継続して当該装置を使用するか否かを選択する警告報知処理の一例を示すフローチャートである。また、図７は、継続して装置を使用するか否かを選択可能に構成された画面表示の一例を示す図である。
【００３４】
ＣＰＵ９０１は、警告フラグｆｕｓ＿ｗａｒｎｉｎｇが有効であるか否かを判別する（Ｓ６０１）。無効であると判別した場合（Ｓ６０１：Ｎｏ）、処理を終了してプリント制御に戻る。また、そうでない場合（Ｓ６０１：Ｙｅｓ）、ＣＰＵ９０１は、操作表示装置制御部９４１、ユーザインタフェース装置１１を介して警告表示を行う（Ｓ６０２）。この警告表示では、図７に示すような定着器の組み合わせが不適切であり、定着器を交換するか、あるいは継続して装置を使用するかの選択を促すための選択ボタンを表示する。
ＣＰＵ９０１は、表示画面に表示された選択ボタンが押されたか否かを判別する（Ｓ６０３）。選択ボタンが押されたと判別した場合（Ｓ６０３：Ｙｅｓ）、ステップＳ６０４の処理へ進む。また、そうでない場合（Ｓ６０３：Ｎｏ）、ステップＳ６０２の処理へ戻り警告表示を継続する。
【００３５】
ＣＰＵ９０１は、継続して装置を使用する側の選択ボタンが押されたか否かを判別する（Ｓ６０４）。「継続して装置を使用する」が選択された場合（Ｓ６０４：Ｙｅｓ）、警告報知処理を終了し、その後プリント制御に戻る。また、そうでない場合（Ｓ６０４：Ｎｏ）、つまり「定着ユニットを交換する」が選択された場合、図５に示す定着器の交換を促すための画面表示を行う（Ｓ６０５）。
【００３６】
ＣＰＵ９０１は、装置のシャットダウンが指示されたか否かを判別する（Ｓ６０６）。シャットダウンが行われない場合（Ｓ６０６：Ｎｏ）、ステップＳ６０５の処理へ戻り警告表示を継続する。また、シャットダウンが行われた場合（Ｓ６０６：Ｙｅｓ）、処理を終了してプリント制御に戻る。
【００３７】
図８は、定着器の組み合わせが不適切な場合において、継続して装置を使用することをユーザが選択した場合（Ｓ６０４：Ｙｅｓ：図６）のプリント制御の処理手順を示すフローチャートである。また、図９は、ジョブに関する設定の一例として、ユーザが記録媒体（記録メディア）の指定を行うときの画面表示を示す図である。ユーザは、この画面上の一覧の中からジョブで使用する記録メディアを選択する。選択した記録メディアは、画面上の「設定」ボタンを押すことで決定されるように構成される。以下、ジョブに関する設定として、記録メディアの指定を行う場合を例に挙げて説明を進める。
【００３８】
ＣＰＵ９０１は、図９に示すジョブ設定のための画面を表示し、ユーザが記録メディアの指定を行ったか否かを判別する（Ｓ８０１）。記録メディアの指定が行われたと判別した場合（Ｓ８０１：Ｙｅｓ）、ＣＰＵ９０１は、指定された記録メディアが第二定着器１４も通過するものであるか否かを判別する（Ｓ８０２）。指定された記録メディアが通過するものであるか否かの判別は、当該記録メディアのサイズ、マテリアル、形状などの用途情報に基づき判別される。なお、第二定着器１４を通過可能な記録媒体は予め設定されており、例えば坪量が１５０［ｇｓｍ］以上の厚紙、ＯＨＰシート、コート紙などである。
【００３９】
指定された記録メディアが第二定着器１４も通過すると判別した場合（Ｓ８０２：Ｙｅｓ）、ＣＰＵ９０１は、異なる用途の定着器を通過するためプリント不可と判別し、操作表示装置制御部９４１、ユーザインタフェース装置１１を介して警告表示を行う（Ｓ８０４）。この警告表示では、図７に示すような定着器の組み合わせが不適切であり、定着器を交換するか、あるいは継続して装置を使用するかの選択を促すための選択ボタンを表示する。ＣＰＵ９０１は、表示画面に表示された選択ボタンが押されたか否かを判別する（Ｓ８０７）。選択ボタンが押されたと判別した場合（Ｓ８０７：Ｙｅｓ）、ステップＳ８０６の処理へ進む。また、そうでない場合（Ｓ８０７：Ｎｏ）、ステップＳ８０４の処理へ戻り警告表示を継続する。
【００４０】
ＣＰＵ９０１は、継続して装置を使用する側の選択ボタンが押されたか否かを判別する（Ｓ８０６）。「継続して装置を使用する」が選択された場合（Ｓ８０６：Ｙｅｓ）、ステップＳ８０１の処理へ戻る。この場合、ユーザに対して再度ジョブ設定が促されることになる。また、そうでない場合（Ｓ８０６：Ｎｏ）、つまりユーザが定着器の交換を選択した場合には、装置のシャットダウンを実行し、処理を終了する。
【００４１】
また、指定された記録メディアが第二定着器１４を通過しないと判別した場合（Ｓ８０２：Ｎｏ）、ＣＰＵ９０１は、指定された記録メディアが第一定着器１３に適合するものであるか否かを判別する（Ｓ８０８）。適合すると判別した場合（Ｓ８０８：Ｙｅｓ）、プリント処理を開始する（Ｓ８０５）。また、そうでない場合（Ｓ８０８：Ｎｏ）、ステップＳ８０４の処理へ戻り、警告表示を行う。
【００４２】
ＣＰＵ９０１は、プリント処理が終了したか否かを判別する（Ｓ８０６）。プリント処理が終了していないと判別した場合（Ｓ８０６：Ｎｏ）、当該プリント処理を継続する。また、そうでない場合（Ｓ８０６：Ｙｅｓ）、ステップＳ８０１の処理へ戻り、再びジョブ設定が行われるまで待機する。
【００４３】
このように、本実施形態の画像形成装置では、ユーザが指定した記録メディアが第二定着器を通過するか否かが判別される。これにより、ユーザが指定した記録媒体によっては第二定着器１４を通らない、つまり定着を必要としない場合であっても、第一定着器１３の用途が適合していれば品質を損うことなくプリント処理を行うことができる。
【００４４】
また、本実施形態の画像形成装置では、プリントジョブの設定が行われた段階で印刷物の品質を損なう構成であることを報知して定着器交換を促す。しかしながら、記録メディアが指定された時点では、未だそのジョブが確定しておらず、その後の設定変更によって問題なくプリントできるようになることも考えられる。そのため、プリントジョブの設定が行われたタイミングではまだ警告は出さず、ジョブの開始が指示されたタイミングで初めて警告を表示するよう制御しても良い。
【符号の説明】
【００４５】
１・・・画像形成装置、１０・・・画像形成部、１１・・・ユーザインタフェース装置、１２・・・給紙部、１３・・・第一定着器、１４・・・第二定着器、８０・・・画像形成部、１０２・・・プレレジセンサ、１０３・・・レジストローラ、１０４・・・レジストセンサ、１０６・・・第二定着搬送ローラ、１０７・・・バイパスセンサ、１０８・・・バイパスローラ、１１０・・・排紙ローラ、１２０・・・紙庫、１２１・・・ピックアップローラ、１２２・・・分離ローラ、１２３・・・給紙センサ、１２４・・・縦パスローラ、１２５・・・縦パスセンサ、１４１・・・フラッパ、８０１〜８０４・・・ドラム、８０５・・・中間転写体、８０６・・・二次転写部。
【図２】
2015230436.tif 000003
【図３】
2015230436.tif 000004
【図４】
2015230436.tif 000005
【図５】
2015230436.tif 000006
【図６】
2015230436.tif 000007
【図７】
2015230436.tif 000008
【図８】
2015230436.tif 000009
【図１】
2015230436.tif 000010
【図９】
2015230436.tif 000011